(57)【要約】【課題】  パネルをスタッキングする時の安定性を確保できることは勿論のこと、当該パネルの上面板の強度向上にも寄与する凹，凸部を設けた金属製中空パネルを提供すること。【解決手段】  ほぼ全域が平坦な上面板Ａと、該上面板Ａの裏面に重合して一体化される下面板Ｂであってそのほぼ全域に補強用の凹部と凸部による補強パターンが形成された下面板Ｂとから成る金属製中空床パネルにおいて、下面板Ｂに設けられた下面に向けて突出させた補強用リブ３〜６に対応した上面板Ａの部位に補強リブを兼ねた凹状溝９を設ける一方、前記上面板Ａの凹状溝９に対応した下面板Ｂの前記リブ３〜６上に、下面側に突出した凸状部10を設けて成り、前記上面板Ａと下面板Ｂを重ねて合体した当該パネルＰ同士をスタッキングするとき、上位に位置するパネルＰの凸状部10を下位に位置する凹状溝９に嵌合させるようにしたこと。【選択図】図１
2008121301.tif 000002
【特許請求の範囲】
【請求項１】
ほぼ全域が平坦な上面板と、該上面板の裏面に重合して一体化される下面板であってそのほぼ全域に補強用の凹部と凸部による補強パターンが形成された下面板とから成る金属製中空床パネルにおいて、下面板に設けられた下面に向けて突出させた補強用リブに対応した上面板の部位に補強リブを兼ねた凹状溝を設ける一方、前記上面板の凹状溝に対応した下面板の前記リブ上に、下面側に突出した凸状部を設けて成り、前記上面板と下面板を重ねて合体した当該パネル同士をスタッキングするとき、上位に位置するパネルの凸状部を下位に位置する凹状溝に嵌合させるようにしたことを特徴とする二重床用パネル。
【請求項２】
上面板の補強リブ兼用の凹状溝は、当該上面板が下面板のリブによってその下面板に接していない部位に設けた請求項１の二重床用パネル。
【請求項３】
下面板の補強用リブは、少なくとも当該下面板の外周に沿ってその近傍に設けられた平面から見て略四角形状をなすと共に、前記略四角形状のリブの対角線上に設けられている請求項１又は２の二重床用パネル。
【請求項４】
上面板の補強リブ兼用の凹状溝は、請求項３の下面板の補強用リブが交叉する部に対応した部位に設けた二重床用パネル。
【発明の詳細な説明】
【技術分野】
【０００１】
本発明は、金属製の上面板と下面板とから成る金属製の中空床パネル（以下、単にパネルともいう）において、その強度面及び取扱い面に新たな工夫を施した床パネルに関する。
【背景技術】
【０００２】
従来より自由な床下配線を可能にするための二重床パネルは、様々な材料を用いて種々の構造のものが提案され、また、実用に供されているものも多い。
【０００３】
そのような床パネルにおいて、製造手間や材料コスト，製造コストなどの面から、凹凸部が設けられないプレーンなスチール鋼板製上面板と、スチール製鋼板をプレス加工して補強リブを形成した下面板を、前記上面板と重合し合体構造にして強度を確保するようにした金属製の中空パネルが多く用いられるようになった。
【０００４】
上記のような金属製中空床パネルは、下面側（又は下面板の裏面）に、補強用にプレス成形した凹状又は凸状のリブや溝、或は、凹部や凸部が露出していることと、パネル裏面が滑り易い金属表面であることにより、パネル同士をスタックする（又は積重ねる）と、スタック状態が安定せず、スタッキングしたパネルがちょっとした振動や小さな衝撃で崩落することが多く、取扱いに余計な手間を要するのみならず、作業上危険でもある。
【０００５】
従来、上記のようなスタッキング状態の不安定性を改善するため、スタッキング時に嵌り合う小さな凹部をパネル上面の隅部に、対応する小さな凸部を当該パネルの下面に設け、スタッキング時に当該凹凸部を嵌合させるようにした技術が、特許文献１，２などにより提案されている。
【０００６】
しかし、上記従来技術は、パネルのスタッキング状態の安定的保持のために、当該パネルの上面板に小さな凹部を、また下面板に対応する小さな凸部を設ける構成であるため、そのために新たにプレス型を必要としたり、プレス金型を複雑にしてしまうという難点があった。
【０００７】
一方、上記凹凸部は、パネル強度には何ら関与することのないものであったが、プレーンな上面板は、補強リブを設けた下面板に裏打ちされて、その強度が確保されるように設計されているとはいえ、下面板のリブが設けられている部位に対応した上面板の当該部位は、下面板から浮いた状態にあるので当接した下面板による裏打ちがなく、このため強度的に不安のあることは否めない。特にそのような部位に、集中縦荷重がかかると、上面板に凹みが生じる事態も懸念される。
【特許文献１】特開平１１−８１６３４号公報
【特許文献２】特許第３７６２５６０号公報
【発明の開示】
【発明が解決しようとする課題】
【０００８】
本発明は、金属製中空パネルにおける上記の問題点に鑑み、パネルをスタッキングする時の安定性を確保できることは勿論のこと、当該パネルの上面板の強度向上にも寄与する凹，凸部を設けた金属製中空パネルを提供することを、その課題とする。
【課題を解決するための手段】
【０００９】
上記課題を解決することを目的としてなされた本発明パネルの構成は、ほぼ全域が平坦な上面板と、該上面板の裏面に重合して一体化される下面板であってそのほぼ全域に補強用の凹部と凸部による補強パターンが形成された下面板とから成る金属製中空床パネルにおいて、下面板に設けられた下面に向けて突出させた補強用リブに対応した上面板の部位に補強リブを兼ねた凹状の溝を設ける一方、前記上面板の凹状溝に対応した下面板の前記リブ上に、下面側に突出した凸状部を設けて成り、前記上面板と下面板を重ねて合体した当該パネル同士をスタッキングするとき、上位に位置するパネルの凸状部を下位に位置する凹状溝に嵌合させるようにしたことを特徴とするものである。
【００１０】
本発明パネルは、上記構成において、下面板の補強用リブは、少なくとも当該下面板の外周に沿ってその近傍に設けられた平面から見て略四角形状をなすように設けられたものである。また、当該下面板の補強リブは、前記略四角形状のリブの対角線上にも設けられている。
【００１１】
上記のように、平面視四角形をなす補強リブと当該リブの対角線上に設けられた補強リブを備えた下面板に合着される上面板は、特に前記下面板の補強リブの交叉部分が広い面積で下面板から浮いた状態にあるため、他の部位（つまり、下面板が当接して合着されている部位や、下面板のリブの縁に近い部位）に比べて強度面で不安があることは、先に述べた通りである。
【００１２】
本発明パネルはこの点に鑑み、上面板における強度面の不安が懸念される部位に、補強用の凹状溝を設け、この凹状溝に嵌まる凸状部を、当該パネルの下面板に設けたことを要旨とする。
【発明の効果】
【００１３】
本発明パネルは上記構成を具備していることによって、パネル上面板の強度に不安のある部位を補強できると共に、この補強用の凹状溝に嵌まる凸状部を下面板に設けたことにより、上記の上面板補強用の凹状溝と凸状部をパネルのスタッキング時の位置ずれ防止機構として利用することができる。
【発明を実施するための最良の形態】
【００１４】
次に本発明パネルの実施の形態例について、図を参照して説明する。図１は本発明パネルの一例の平面図、図２は図１のパネルの正面図、図３は図１のパネルの裏面図、図４は図１におけるＡ−Ａ矢視拡大断面図、図５は図３におけるＢ−Ｂ矢視拡大断面図、図６は図１のＣ−Ｃ矢視端面図、図７はカシメ構造を説明するための断面図、図８は下面板Ｂの凸部が上位パネルＰの上面板Ａの補強リブ（凹状溝）に嵌った状態の断面図である。
【００１５】
図１において、実線は本発明パネルＰの上面板Ａの構成を示し、点線は、当該上面板Ａの裏面に合着一体化された下面板Ｂの構成を示している。従って、図３のパネルＰの裏面図では、裏面板Ｂの構成が実線で表され、当該裏面板Ｂの外周縁に上面板Ａの外周縁が外側から重なり、当該重なり部分が、ほぼ垂直（上面板Ａの上面に対し）に折曲げられた側縁Ｃを形成している。
【００１６】
図１〜図３において、上面板Ａは略正方形をなす鋼板製の全域がほぼ平坦な板である。この上面板Ａは、その右辺と下辺の２箇所にケーブル類を挿通するため、板の内部側に窪んだ凹陥部１が形成されている。凹陥部１の大きさや個数は、設計事項であり任意である。
【００１７】
また、上面板Ａの四隅には、それぞれ他の３枚のパネルの隅部が集合したとき、全体で皿ネジ用の丸穴となる１／４円弧状をなす絞り部２が周囲に斜面2aを伴って形成されている。なお、上面板Ａの外周は、上記凹陥部１を含み下面側へ略90度折曲げられて、後述する下面板Ｂの対応部位を一体になって、パネルＰの側縁Ｃを形成する。
【００１８】
一方、下面板Ｂは、図３に示す平面パターンのリブであって、図２に示す凹凸パターンに形成された補強用リブ３，４と同５，６が設けられている。
補強用リブ３は、当該下面板Ｂの外周縁より少し内側に入った部位に、外周寄りの四隅部を面取りした平面から見て略四角形状で、下面板Ｂの下面側へ凸状に突出したリブに形成されている。
【００１９】
補強用リブ４は、上記の平面四角形状のリブ３の対角線上に、当該リブ３と略同幅乃至それより少し小幅な下面側へ凸状に突出して平面パターンが略Ｘ状をなすように形成されている。両リブ３，４の下面側への突出量は同じであるが、同じにするかどうかは、任意である。また、平面Ｘ状をなすリブ４において、平面から見て略四角形をなす交叉部には、同心円状に下面側へ突出したリブ５が形成されている。
【００２０】
下面板Ｂにおいて、上記の補強用リブ３と４に囲まれた略台形状をなす４つの平坦部には、その中央位置に、リブ３の各辺と下面板Ｂの中心に形成した同心円状リブ５の間に、小幅のリブ６が形成されている。この小幅リブ６は、上記のＸ状リブ４と略45度の位相差を以て配置されている。また、当該リブ６の高さ（下面への突出量）は、前記リブ３，４よりも小さい。このリブ６の高さを前記リブ３，４より小さくするかどうかは任意であるが、大きくしてもリブ３，４と同じ高さが望ましい。
【００２１】
上記の各リブ３〜６を形成した下面板Ｂの外周縁も、上述の上面板Ａに形成した凹陥部１と同じ凹陥部11が、また、四隅には絞り部21が形成されており、更に、この下面板Ｂの外周も、下面側へ向けて略90度曲げられて、上面板Ａの折曲げ部と一体になって、パネルＰの側縁Ｃを形成する。なお、下面板Ｂと上面板Ａとは、重ねてプレスする時にその側縁Ｃが形成される。
【００２２】
上記構成を備えた上面板Ａと下面板Ｂは、図７に示すように、両面板Ａ，Ｂが当接して重なる平坦重合部において、図７に例示するカシメ構造によって合着一体化される。即ち、図７において、７は上面板Ａに設けられた曲げ縁7aを有するカシメ用の穴、８は前記曲げ縁7aを挿通させてその縁7aに抱持される下面板Ｂに設けたカシメ用の穴であり、両穴７，８は、カシメられたとき曲げ縁7aが下面板Ｂの穴８を穴の全周で抱持する構造となることにより、両面板Ａ，Ｂが合着一体化した金属製の中空パネルＰに形成されるのである。
【００２３】
上記構成のパネルＰにおいては、両面板Ａ，Ｂ同士が直に接触しない部位、つまり下面板Ｂに下面側に凸状に突出させたリブ３〜６がある上面板Ａの対応部位は、下面板Ｂに圧接乃至密着しないで浮いた状態にある。
【００２４】
上記の上面板Ａが下面板Ｂから浮いた状態の面積が大きいと、その面積が小さい部位に比べ強度的に不安であることは、先に述べた通りである。この点を図１（又は図２）で検討すると、平面視四角形状のリブ３とＸ状のリブ４が交わる部位が、上述した強度上の不安部位に当る。
【００２５】
そこで本発明では、上面板Ａにおいて、４箇所存在する上記の不安部位の略中心部に、凹状溝による上面板Ａの補強リブ９を設けた（図１，図４参照）。上面板Ａに設けたこの補強リブ９によって、当該強度不安部位はその強度を著しく高めることができる。この補強リブ９は、補強効果とスタッキング時の安定性の双方の要請を満たすため、上面板Ａ（又はパネルＰ）の外周辺に対して略45度の角度で直線状に設けているが、このリブ９を設ける角度や当該リブ９の長さ、或は、リブ９の平面パターンなどは、図示の例に限られるものではない。
【００２６】
本発明ではまた、上面板Ａに設けた、上記例では４箇所の補強リブ９を、このパネルＰをスタックするときの安定用部材として利用するため、下面板Ｂの上記リブ９に対応する部位（リブ３と同４の交叉部位）に、当該下面板Ｂの下面側に突出した凸状部として凸部10を設けた（図３，図５参照）。この凸部10は、パネルＰのスタッキング時に上面板Ａの凹状溝によるリブ９に嵌まればよいので、凸部10の長さ，幅，配設パターンは、上面板Ａに設けたリブ９に嵌まるという要件を満たすものであればよい。従って、図示した凸部10は一例である。図８は上位パネルの下面板Ｂの凸部10が、下位パネルＰの上面板Ａの補強リブ９の凹状溝に入った状態の断面図である。
【００２７】
本発明では、金属製中空パネルＰに、上記上面板Ａにそれ専用の補強用リブ９とこれに対応した部位の下面板Ｂに凸部10を設けたことにより、当該パネル同士Ｐをスタッキングするとき、下位のパネルＰの上面板Ａに対する凹状溝による補強リブ９に、上位のパネルＰの下面板Ｂに設けた凸部10を嵌めることにより、およそ位置ずれすることのないスタッキングを可能にする。
【産業上の利用可能性】
【００２８】
本発明は以上の通りであって、金属製中空床パネルにおいて、下面板に設けられた下面に向けて突出させた補強用リブに対応した上面板の部位に補強リブを兼ねた凹状の溝を設ける一方、前記上面板の凹状溝に対応した下面板の前記リブ上に、下面側に突出した凸状部を設けて成り、前記上面板と下面板を重ねて合体した当該パネル同士をスタッキングするとき、上位に位置するパネル凸状部を下位に位置する凹状溝に嵌合させるようにしたから、この種の中空パネルの強度に不安がある上面板の部位を専用的に補強できるのみならず、当該凹状溝による補強リブをスタッキング用に下面板に設けた凸状部の受け入れ溝として利用できるので、その役割と効用は従来品には見られないものである。
【図面の簡単な説明】
【００２９】
【図１】本発明パネルの一例の平面図。
【図２】図１のパネルの正面図。
【図３】図１のパネルの裏面図。
【図４】図１におけるＡ−Ａ矢視拡大断面図。
【図５】図３におけるＢ−Ｂ矢視拡大断面図。
【図６】図１のＣ−Ｃ矢視端面図。
【図７】カシメ構造を説明するための断面図。
【図８】下面板Ｂの凸部が上位パネルＰの上面板Ａの補強リブ（凹状溝）に嵌った状態の断面図。
【符号の説明】
【００３０】
Ａ                上面板
Ｂ                下面板
Ｃ                側縁
１，11            上，下面板の通線用の凹陥部
２，21            上，下面板の絞り部
３，４，５，６    下面板Ｂに設けた補強用リブ
７                上面板Ａのカシメ用の穴
7a                曲げ縁
８                下面板Ｂのカシメ用の穴
９                上面板Ａに設けた補強用の凹状溝（補強リブ）
10                下面板Ｂに設けた凹状溝（補強リブ９）に嵌まる凸部
【図１】
2008121301.tif 000003
【図２】
2008121301.tif 000004
【図３】
2008121301.tif 000005
【図４】
2008121301.tif 000006
【図５】
2008121301.tif 000007
【図６】
2008121301.tif 000008
【図７】
2008121301.tif 000009
【図８】
2008121301.tif 000010